(57)【要約】【課題】  浴槽側と洗い場側との双方で使用可能な水栓装置から浴槽内に泡が落下することがなく、かつ水栓装置の操作がし易くなる水栓装置取付構造を提供すること。【解決手段】  吐水口２７、流量調節操作部２８および温度調節操作部２９を備えた水栓装置２４を、浴槽１１と洗い場１３とに隣接する壁面１２ｂにおける浴槽１１の近傍でかつ浴槽１１よりも高い部分と洗い場１３側部分との間で設置位置を変更可能にして設けた。また、壁面１２ｂに浴槽１１側から洗い場１３側に延びるレール部２１を設け、水栓装置２４をレール部２１に沿って設置位置を変更可能にした。【選択図】  図１
2008264332.tif 000002
【特許請求の範囲】
【請求項１】
吐水口と操作部を備え浴室における浴槽側と洗い場側との双方で使用可能な水栓装置を取り付けるための水栓装置取付構造であって、前記水栓装置を、前記浴槽と前記洗い場とに隣接する壁面または台状部における前記浴槽の近傍でかつ前記浴槽よりも高い部分と前記洗い場側部分との間で設置位置を変更可能にして設けたことを特徴とする水栓装置取付構造。
【請求項２】
前記壁面または前記台状部に前記浴槽側から前記洗い場側に延びるスライド手段を設け、前記水栓装置を前記スライド手段に沿って設置位置を変更可能にした請求項１に記載の水栓装置取付構造。
【請求項３】
前記壁面または前記台状部における前記浴槽側部分と前記洗い場側部分との間に間隔を保って複数の取付部材を設け、前記水栓装置を前記複数の取付部材のうちの任意の取付部材に取付けることにより設置位置を変更可能にした請求項１に記載の水栓装置取付構造。
【請求項４】
前記壁面または前記台状部における前記水栓装置が設置される部分の前記水栓装置の裏面側に対応する部分に収容部を設けた請求項１ないし３のうちのいずれか一つに記載の水栓装置取付構造。
【発明の詳細な説明】
【技術分野】
【０００１】
本発明は、浴室における浴槽側と洗い場側との双方で使用可能な水栓装置を取り付けるための水栓装置取付構造に関する。
【背景技術】
【０００２】
従来から、浴室に設けられた水栓装置の中には、吐水口を浴槽側と洗い場側とに回転させることにより、浴槽内に湯水を入れたり、洗い場側で湯水を使用したりすることができるものがある。この水栓装置は、浴槽側と洗い場側との双方で使用し易くするために、浴槽と洗い場の境界部分に取り付けられている。しかしながら、このような、水栓装置を入浴者が洗い場側で使用する場合に、水栓装置の流量調節操作部や温度調整部等の操作部を操作すると、入浴者の手に付いた石鹸やシャンプーの泡が操作部に付いて、操作部から浴槽内に落下することがある。
【０００３】
このため、水栓装置の操作部を浴槽から離れた場所に設置して、操作部に付いた泡が浴槽内に落下しないようにしたものもある（特許文献１参照）。この水栓装置（遠隔操作式水栓）では、吐水口（吐水管）を浴槽の上面に設けるとともに、操作部（温度調節ハンドルと流量調節ハンドル）を洗い場に設けられたカウンターの上面に設置している。このため、入浴者が泡の付いた手で操作部を触りその泡が操作部に付いても、泡はカウンターから洗い場の床面に向って流れるようになり浴槽内に入ることはない。
【特許文献１】特開２００１−８１８２３号公報
【発明の開示】
【０００４】
しかしながら、前述した従来の水栓装置では、吐水口と操作部とが離れた位置に設置されているため、操作部の操作がし難くなるという問題がある。
【０００５】
本発明は、前述した問題に対処するためになされたもので、その目的は、浴槽側と洗い場側との双方で使用可能な水栓装置から浴槽内に泡が落下することがなく、かつ水栓装置の操作がし易くなる水栓装置取付構造を提供することである。
【０００６】
前述した目的を達成するため、本発明に係る水栓装置取付構造の構成上の特徴は、吐水口と操作部を備え浴室における浴槽側と洗い場側との双方で使用可能な水栓装置を取り付けるための水栓装置取付構造であって、水栓装置を、浴槽と洗い場とに隣接する壁面または台状部における浴槽の近傍でかつ浴槽よりも高い部分と洗い場側部分との間で設置位置を変更可能にして設けたことにある。
【０００７】
前述したように構成した本発明に係る水栓装置取付構造では、吐水口と操作部を備えた水栓装置を浴槽側部分と洗い場側部分との間で設置位置を変更可能にしている。したがって、浴槽内に湯水を入れるときには水栓装置を浴槽側に位置させて吐水口から湯水を取り出すことができる。このように浴槽内に湯水を入れるときには、入浴者は石鹸やシャンプー等を使用していないことが多いため、入浴者が操作部を触っても操作部に石鹸やシャンプー等の泡が付くことは殆どない。このため、水栓装置の操作部から浴槽内に泡が落下することも防止できる。
【０００８】
また、入浴者が洗い場で体や髪を洗うときには、水栓装置を洗い場側に位置させて吐水口から湯水を取り出すことができる。この場合、入浴者が操作部を操作することにより操作部に泡が付いても、その泡は洗い場の床面に落下していく。このため、操作部に付いた泡が浴槽内に入ることはない。また、吐水口と操作部とは一緒に位置を変えるため水栓装置の位置を変えても操作部吐水口から離れて操作がし難くなるといったことは生じない。なお、本発明の操作部は、流量調節操作部や温度調整部等、湯水を吐水口から取り出すための操作を行うための部分である。また、台状部は、カウンターや棚等、上面に水栓装置を設置できるものである。
【０００９】
本発明に係る水栓装置取付構造の他の構成上の特徴は、壁面または台状部に浴槽側から洗い場側に延びるスライド手段を設け、水栓装置をスライド手段に沿って設置位置を変更可能にしたことにある。これによると、水栓装置をスライド手段に沿って移動させるだけの簡単な操作で水栓装置の設置位置を変更することができる。スライド手段としては種々の機構を用いることができ、例えば、突条または溝部を備えたレール状のスライド手段や細長い棒状のスライド手段等を用いることができる。また、水栓装置には、スライド手段に係合した状態でスライドできる部分を形成しておく。
【００１０】
本発明に係る水栓装置取付構造のさらに他の構成上の特徴は、壁面または台状部における浴槽側部分と洗い場側部分との間に間隔を保って複数の取付部材を設け、水栓装置を複数の取付部材のうちの任意の取付部材に取付けることにより設置位置を変更可能にしたことにある。これによると、水栓装置を取付ける取付部材を適宜変更するだけの簡単な操作で水栓装置の位置を浴槽側と洗い場側とに変えることができる。
【００１１】
本発明に係る水栓装置取付構造のさらに他の構成上の特徴は、壁面または台状部における水栓装置が設置される部分の水栓装置の裏面側に対応する部分に収容部を設けたことにある。これによると、収容部に、例えば、石鹸やシャンプー等の入浴用具を収容しておくことができる。また、この場合、水栓装置を収容部の開閉扉として利用することができ、水栓装置の設置位置を変更することにより収容部を開閉することができる。
【発明を実施するための最良の形態】
【００１２】
（第１実施形態）
以下、本発明の第１実施形態を図面を用いて説明する。図１は、同実施形態に係る水栓装置取付構造２０が設けられた浴室１０を示している。この浴室１０では、平面視が長方形に形成された浴槽１１が長手方向の一方の側面を壁面１２ａに沿わせ、幅の短い一方の側面を壁面１２ｂに沿わせて設置されている。そして、浴槽１１の長手方向の他方の側面側に位置する洗い場１３における壁面１２ｂ側にカウンター１４が壁面１２ｂに沿って設けられている。このカウンター１４は浴槽１１の壁面１２ｂ側部分と隣接して設置されており、カウンター１４の高さは、浴槽１１の高さと略同じになっている。
【００１３】
水栓装置取付構造２０は、壁面１２ｂにおける浴槽１１の上部側部分とカウンター１４の上部側部分とに亘って設けられており、本発明のスライド手段としてのレール部２１と水栓装置２４とを備えている。レール部２１は上下に一定間隔を保って水平方向に平行して延びる一対の係合部２２，２３からなっている。そして、図２に示したように、下側に取付けられた係合部２２の上面における前端縁部（浴室の中央側に位置する縁部）には、抜け止め用の突条２２ａが前端縁部に沿って形成され、係合部２２の上面における前後方向の略中央には、係合用の突条２２ｂが係合部２２の長手方向に沿って形成されている。
【００１４】
また、上側に取付けられた係合部２３の下面における前端縁部には、抜け止め用の突条２３ａが前端縁部に沿って形成され、係合部２３の下面における前後方向の略中央には、係合用の突条２３ｂが係合部２３の長手方向に沿って形成されている。係合部２２の突条２２ａの上端部は突条２２ｂの上端部よりもやや高い位置に位置しており、係合部２３の突条２３ａの下端部は突条２３ｂの下端部よりもやや低い位置に位置している。
【００１５】
水栓装置２４は、レール部２１にスライド係合が可能なベース部２５と、ベース部２５に取付けられた水栓本体２６とを備えており、水栓本体２６には、吐水口２７、流量調節操作部２８および温度調節操作部２９が備わっている。ベース部２５は、横長の長方形の板状に形成されており、下端面における前後方向の中央に係合部２２の突条２２ｂに係合可能な溝部２５ａが形成され、上端面における前後方向の中央に係合部２３の突条２３ｂに係合可能な溝部２５ｂが形成されている。そして、溝部２５ａを突条２２ｂに係合させ、溝部２５ｂを突条２３ｂに係合させることにより、ベース部２５はレール部２１に組み付けられている。
【００１６】
水栓本体２６は、内部に水路が形成された矩形のブロック体で構成されており、上面に給水ホース３１が連結された連通孔と給湯ホース３２が連結された連通孔と（ともに図示せず）が形成されている。給水ホース３１および給湯ホース３２はそれぞれ連結された連通孔および水栓本体２６内の水路を介して吐水口２７に連通している。そして、流量調節操作部２８は開閉弁を備えており、回転操作することにより水路と吐水口２７との間を開閉して吐水口２７から湯や水を吐出させたり、その吐出を停止させたりするとともに、その湯や水の流量を調節する。
【００１７】
また、温度調節操作部２９は、調節弁を備えており、回転操作することにより給水ホース３１から水路を介して吐水口２７に流れる水の量と給湯ホース３２から水路を介して吐水口２７に流れる湯の量との比率を変更する。給水ホース３１と給湯ホース３２とは、それぞれ洗い場１３の下面側から壁面１２ｂの裏面側に沿って上方に延びる給水管と給湯管（図示せず）との対応する部分の先端部に連結されている。また、給水ホース３１と給湯ホース３２とはともに可撓性のホースで構成されており、それらの下端部は水栓本体２６がベース部２５とともにレール部２１に沿って移動したときに水栓本体２６に追従して移動する。このため、給水ホース３１と給湯ホース３２との長さは、水栓装置２４がレール部２１の両端間で移動できる長さに設定されている。
【００１８】
この構成において、浴槽１１内に湯水を入れる場合には、まず、水栓装置２４をレール部２１に沿ってスライドさせて浴槽１１側（図１の左側）に移動させる。そして、温度調節操作部２９を回転操作して取り出す湯の温度を設定するとともに、流量調節操作部２８を回転操作することにより吐水口２７から湯を取り出しさらにその湯の勢いを調節する。そして、浴槽１１内の湯量が適当な量になったときに、流量調節操作部２８を回転操作して湯の取り出しを停止する。
【００１９】
また、入浴者が洗い場１３におけるカウンター１４の前で椅子（図示せず）に腰掛けて体や頭髪を洗う場合には、水栓装置２４をレール部２１に沿ってスライドさせてカウンター側（図１の右側）に移動させる。そして、温度調節操作部２９と流量調節操作部２８とを回転操作することにより吐水口２７から適度の温度の湯を適度な量だけ取り出し、その湯と石鹸やシャンプーを使用して体や髪を洗う。
【００２０】
このように、本実施形態に係る水栓装置取付構造２０では、水栓装置２４をレール部２１における浴槽１１側部分と洗い場１３側部分との間で移動可能にしている。したがって、浴槽１１内に湯水を入れるときには水栓装置２４を浴槽１１側に位置させて吐水口２７から湯水を取り出すことができ、このような場合には、入浴者は石鹸やシャンプー等を使用しないことが多いため、流量調節操作部２８や温度調節操作部２９に石鹸やシャンプー等の泡が付くことはあまりない。このため、浴槽１１内に泡が落下することも生じなくなる。
【００２１】
また、入浴者が洗い場１３で体や髪を洗うときには、水栓装置２４を洗い場１３側に移動させて吐水口２７から湯水を取り出すことができ、この場合、入浴者の操作により流量調節操作部２８や温度調節操作部２９に石鹸やシャンプー等の泡が付いても、その泡は洗い場１３の床面に落下していくため浴槽１１内に入ることはない。また、吐水口２７、流量調節操作部２８および温度調節操作部２９は、水栓本体２６に取付けられて一緒に移動するため水栓装置２４の位置が変わっても流量調節操作部２８や温度調節操作部２９の操作がし難くなることはない。
【００２２】
（第２実施形態）
図３および図４は、本発明の第２実施形態に係る水栓装置取付構造２０ａが設けられた浴室１０ａを示している。この水栓装置取付構造２０ａは、壁面１２ｃにおける浴槽１１ａの上部側部分とカウンター１４ａの上部側部分とに亘って設けられた収容部３３と、収容部３３の開口縁部における上下部分にそれぞれ設けられた本発明のスライド手段としての一対の溝部３４ａ，３４ｂからなる溝状レール部と、一対の溝部３５ａ，３５ｂからなる溝状レール部とを備えている。
【００２３】
収容部３３は、図４に示したように断面形状が略コ字状に形成され、図３に示したように左右方向に細長くなった箱状体３３ａの開口縁部を、壁面１２ｃに形成され左右方向に細長くなった窓状開口３６の縁部裏面に取付けて構成されている。そして、溝部３４ａは、窓状開口３６の下部上面に形成され、溝部３４ｂは、溝部３４ａに対向して窓状開口３６の上部下面に形成されている。また、溝部３５ａは、箱状体３３ａの開口側縁部近傍部分の内周面における下部上面に形成され、溝部３５ｂは、溝部３５ａに対向して箱状体３３ａの開口側縁部近傍部分の内周面における上部下面に形成されている。
【００２４】
そして、水栓装置２４ａのベース部３７の下端面における前後方向の中央に溝部３４ａに係合可能な突条３７ａが形成され、上端面における前後方向の中央に溝部３４ｂに係合可能な突条３７ｂが形成されている。また、溝部３５ａ，３５ｂからなる溝状レール部には、２個の引き戸３８（１個しか図示せず）が移動可能に取付けられている。各引き戸３８は、ベース部３７と略同じ大きさになっており、２個の引き戸３８とベース部３７とを横並びに配置することにより収容部３３の開口を塞げるように構成されている。
【００２５】
そして、各引き戸３８の下端面における前後方向の中央に溝部３５ａに係合可能な突条３８ａが形成され、上端面における前後方向の中央に溝部３５ｂに係合可能な突条３８ｂが形成されている。この水栓装置取付構造２０ａのそれ以外の部分の構成は前述した第１実施形態の水栓装置取付構造２０と同一である。したがって、同一部分に同一符号を記して説明を省略する。
【００２６】
この水栓装置取付構造２０ａによると、収容部３３に、石鹸やシャンプー等の入浴用具を収容することができる。そして、収容部３３内の入浴用具を使用しない場合には、水栓装置２４ａのベース部３７と２個の引き戸３８とで収容部３３を塞ぐことができ、入浴用具を使用する場合には、ベース部３７または引き戸３８を移動させることにより収容部３３から使用する入浴用具を取り出すことができる。この水栓装置取付構造２０ａのそれ以外の作用効果については前述した第１実施形態の水栓装置取付構造２０と同様である。
【００２７】
（変形例）
また、水栓装置取付構造２０ａの変形例として収容部３３の箱状体３３ａを構成する各側面や上下面の少なくとも一面をガラスまたはガラスを含む面で構成することができる。これによると、収容部３３の開口を開けることにより、浴室１０ａ内から外部の景色を見たり、日光を収容部３３を介して浴室１０ａ内に取り込んだりすることができる。
【００２８】
（第３実施形態）
図５は、本発明の第３実施形態に係る水栓装置取付構造２０ｂが設けられた浴室１０ｂを示している。この浴室１０ｂでは、浴槽１１ｂと壁面１２ｄとの間に略台状のカウンター１４ｂが形成されており、このカウンター１４ｂは壁面１２ｄに沿って浴槽１１ｂ側から洗い場１３ｂ側に延びている。そして、カウンター１４ｂの上面には、収容部４１が形成され、収容部４１の開口縁部に溝状レール部４２を介して水栓装置２４ｂが取付けられ、溝状レール部４３を介して２個の引き戸４４（１個しか図示せず）が取付けられている。
【００２９】
収容部４１、水栓装置２４ｂのベース部３９および２個の引き戸４４は、図３に示した収容部３３、ベース部３７および２個の引き戸３８で構成される部分をベース部３７および引き戸３８が上面に位置するように角度を変えた構成になっている。そして、水栓本体２６ａはベース部３９の上面に取付けられ、水栓本体２６ａの上面に流量調節操作部２８ａおよび温度調節操作部２９ａが設けられている。また、吐水口２７ａは、水栓本体２６ａの上面から上方に延びたのちに屈曲して前方に延びさらに屈曲して下方に向っている。
【００３０】
また、溝状レール部４２とベース部３７との間および溝状レール部４３と２個の引き戸４４との間には、それぞれ防水機構を設けるとともに、収容部４１の底部には、収容部４１内に入った水を排出するための排水口（図示せず）が設けられている。この水栓装置取付構造２０ｂのそれ以外の部分の構成は前述した第２実施形態の水栓装置取付構造２０ａと同一である。したがって、同一部分に同一符号を記して説明を省略する。また、この水栓装置取付構造２０ｂによっても前述した第２実施形態の水栓装置取付構造２０ａと同様の作用効果を得ることができる。
【００３１】
（第４実施形態）
また、本発明の第４実施形態として、前述した各実施形態のレール部２１等に代えて、壁面１２ｂ等に間隔を保ってねじ等からなる複数の取付部材を取り付けるとともに、ベース部２５等に取付部材に着脱可能に係合できるフック等を取り付けることができる。これによると、これによると、ベース部２５等に取付けられたフック等を係合させる取付部材を適宜変更するだけの簡単な操作で水栓装置の位置を浴槽側と洗い場側とに変えることができる。また、本発明に係る水栓装置取付構造は、前述した各実施形態に限定するものでなく、本発明の技術的範囲内で、適宜、変更することができる。
【図面の簡単な説明】
【００３２】
【図１】本発明の第１実施形態に係る水栓装置取付構造を備えた浴室を示した斜視図である。
【図２】図１に示した水栓装置取付構造の側面図である。
【図３】本発明の第２実施形態に係る水栓装置取付構造を備えた浴室を示した斜視図である。
【図４】図３に示した水栓装置取付構造の断面図である。
【図５】本発明の第３実施形態に係る水栓装置取付構造を備えた浴室を示した斜視図である。
【符号の説明】
【００３３】
１０，１０ａ，１０ｂ…浴室、１１，１１ａ，１１ｂ…浴槽、１２ｂ，１２ｃ，１２ｄ…壁面、１３，１３ｂ…洗い場、１４ｂ…カウンター、２０，２０ａ，２０ｂ…水栓装置取付構造、２１…レール部、２４，２４ａ，２４ｂ…水栓装置、２７，２７ａ…吐水口、２８，２８ａ…流量調節操作部、２９，２９ａ…温度調節操作部、３３，４１…収容部、３４ａ，３４ｂ，３５ａ，３５ｂ…溝部、４２，４３…溝状レール部。
【図１】
2008264332.tif 000003
【図２】
2008264332.tif 000004
【図３】
2008264332.tif 000005
【図４】
2008264332.tif 000006
【図５】
2008264332.tif 000007